(57)【要約】【課題】アルミニウム箔を使用しない積層構成の蓋材であっても、良好な再封性を有する蓋材を提供することにある。【解決手段】紙層の一方の面に少なくともシーラント層を積層した積層体からなると共に、外周縁に容器にシールした時に容器フランジ部より外側に突出する開封用プルタブを設け、該開封用プルタブ内に容器フランジ部側の三辺が切り込み線で囲まれ、残りの辺が開封用プルタブ本体部に連設されてなり、容器フランジ部へ引っ掛ける為の引っ掛け部を設けた蓋材に、さらに開封用プルタブから一部剥離後、再封する時に引っ掛け部が容器フランジ部に引っ掛かるように、蓋材の剥離した部分を上下に折り曲げて上方への突出部を設ける為の折り目線を開封用プルタブに近接する蓋材の一端から他端に直線状に所定間隔で複数本設けたものからなることを特徴とする。【選択図】図１
2005289391.tif 000002
【特許請求の範囲】
【請求項１】
紙層の一方の面に少なくともシーラント層を積層した積層体からなると共に、外周縁に容器にシールした時に容器フランジ部より外側に突出する開封用プルタブを設け、該開封用プルタブ内に容器フランジ部側の三辺が切り込み線で囲まれ、残りの辺が開封用プルタブ本体部に連設されてなり、容器フランジ部へ引っ掛ける為の引っ掛け部を設けた蓋材に、さらに開封用プルタブから一部剥離後、再封する時に引っ掛け部が容器フランジ部に引っ掛かるように、蓋材の剥離部分を上下に折り曲げて上方への突出部を設ける為の折り目線を開封用プルタブに近接する蓋材の一端から他端に直線状に所定間隔で複数本設けたものからなることを特徴とする蓋材。
【発明の詳細な説明】
【技術分野】
【０００１】
容器の開口部を密封シールする蓋材に関するものである。
【背景技術】
【０００２】
カップ状容器等に使用される蓋材としては、主に、プラスチックシートを成形した成形タイプの蓋材あるいは単層若しくは多層のフィルムからなる基材層に低温シール性を有するシーラント層を積層した構成のフィルム状の蓋材が使用されており、容器の開口部を完全に密封シールできるという点で、フィルム状の蓋材が広く使用されている。前記フィルム状の蓋材の場合、カップ状容器に例えば即席麺などの内容物を収納し、容器のフランジ部に開封用プルタブを有する蓋材をシールしたものを食する時に、開封用プルタブから蓋材を一部剥離して開口部を設け、その開口部から熱湯を注ぎ入れて、熱湯の温度を低下させないように蓋材の開封用プルタブを折り曲げて容器のフランジ部に引っかけて再封するような状態で使用される。従って、使用するフィルム状の蓋材の層構成としては、ガスバリア性と良好な再封性を付与する為にアルミニウム箔を積層したものが主に用いられているが、アルミニウム箔が層構成中に含まれているとリサイクル性、廃棄後の焼却性等の点で問題が生じていた。そこで、アルミニウム箔を使用しない層構成の蓋材が要望されているが、その場合形状保持性が悪くなり、再封性の点でも難点があった。前記難点を解決する為に開封用プルタブに切り込み線等を設けた蓋材が提案されている（例えば、特許文献１、特許文献２参照。）。
【特許文献１】特開２００１−４８２２０号公報
【特許文献２】特開平７−１７５５４号公報
【発明の開示】
【発明が解決しようとする課題】
【０００３】
しかしながら、前記提案されている蓋材は、その機能面等でまだ不十分であった。
【０００４】
本発明の課題は、アルミニウム箔を使用しない積層構成の蓋材であっても、良好な再封性を有する蓋材を提供することにある。
【課題を解決するための手段】
【０００５】
本発明の請求項１に係る発明は、紙層の一方の面に少なくともシーラント層を積層した積層体からなると共に、外周縁に容器にシールした時に容器フランジ部より外側に突出する開封用プルタブを設け、該開封用プルタブ内に容器フランジ部側の三辺が切り込み線で囲まれ、残りの辺が開封用プルタブ本体部に連設されてなり、容器フランジ部へ引っ掛ける為の引っ掛け部を設けた蓋材に、さらに開封用プルタブから一部剥離後、再封する時に引っ掛け部が容器フランジ部に引っ掛かるように、蓋材の剥離部分を上下に折り曲げて上方への突出部を設ける為の折り目線を開封用プルタブに近接する蓋材の一端から他端に直線状に所定間隔で複数本設けたものからなることを特徴とする蓋材である。
【発明の効果】
【０００６】
本発明の蓋材は、紙層の一方の面に少なくともシーラント層を積層した積層体からなると共に、外周縁に容器にシールした時に容器フランジ部より外側に突出する開封用プルタブを設け、該開封用プルタブ内に容器フランジ部側の三辺が切り込み線で囲まれ、残りの辺が開封用プルタブ本体部に連設されてなり、容器フランジ部へ引っ掛ける為の引っ掛け部を設けた蓋材に、さらに開封用プルタブから一部剥離後、再封する時に引っ掛け部が容
器フランジ部に引っ掛かるように、蓋材の剥離部分を上下に折り曲げて上方への突出部を設ける為の折り目線を開封用プルタブに近接する蓋材の一端から他端に直線状に所定間隔で複数本設けたものからなっているので、形状保持性が劣り、熱などによりカールし易い場合でも再封が容易に、かつ確実に実施できる。
【発明を実施するための最良の形態】
【０００７】
本発明の蓋材を、実施の形態に沿って以下に詳細に説明する。図２は本発明の蓋材に使用する積層体の一実施形態を示す側断面図であり、積層体（２０）は、厚み方向に順に、紙層（２１）、接着性樹脂層（２２）、シーラント層（２３）が積層されている。なお、前記接着性樹脂層（２２）とシーラント層（２３）の間に金属、無機酸化物等を蒸着した蒸着フィルムなどからなるガスバリア層を積層した構成でも良い。
【０００８】
前記紙層（２１）に使用される紙は、一般的に坪量８０〜１２０ｇ／ｍ2の紙が使用される。
【０００９】
前記接着性樹脂層（２２）に使用する樹脂は、特に制約はないが、例えばポリエチレン、エチレン・アクリル酸共重合体、エチレン・メチルメタアクリレート共重合体、エチレン・メチルアクリレート共重合体、エチレン・エチルアクリレート共重合体等の樹脂が用いられる。厚みは２０μｍ〜６０μｍの範囲が好ましい。
【００１０】
前記シーラント層（２３）は、容器本体に低温でヒートシールでき、開封時にイージーピール性を有する樹脂であれば、特に限定しない。例えば、ポリエチレンとポリスチレンのポリマーアロイあるいはエチレン・酢酸ビニル共重合体樹脂に他の樹脂を混合した樹脂等が使用される。厚みは１０μｍ〜６０μｍの範囲が好ましい。
【００１１】
図１（ａ）は本発明の蓋材の一実施形態を示す平面図であり、（ｂ）は前記蓋材を容器にシールした時の模式図であり、蓋材（１）は、紙層（２１）の一方の面に接着性樹脂層（２２）、シーラント層（２３）が積層された積層体（２０）からなっており、外周縁に容器本体（１０）にシールした時に容器フランジ部（１１）より外側に突出する開封用プルタブ（３）が設けられており、前記開封用プルタブ（３）内には、容器フランジ部（１１）側の三辺が切り込み線（５）で囲まれ、残りの辺が開封用プルタブ本体部（４）に連設されている引っ掛け部（６）が設けられており、さらに、開封用プルタブ（３）から一部剥離後、再封する時に前記引っ掛け部（６）が容器フランジ部（１１）に引っ掛かるように、蓋材の剥離した部分を上下に折り曲げて上方への突出部（８）を設ける為の折り目線（７ａ、７ｂ、７ｃ）が開封用プルタブ（３）に近接する蓋材の一端から他端に直線状に所定間隔で設けられている。
【００１２】
前記切り込み線（５）は、蓋材を貫通している。
【００１３】
前記引っ掛け部（６）は、容器にシールした蓋材を開封用プルタブから一部剥離後、再封する時に容器フランジ部（１１）に引っ掛ける為に設けるもので、引っ掛け易いものであれば、特にその形状は限定しない。前記引っ掛け部（６）を引っ掛ける場合は、切り込み線（５）部分から下斜め方向に押し下げ、引っ掛ける。
【００１４】
前記折れ目線（７ａ、７ｂ、７ｃ）は、罫線、ハーフカット溝あるいは印刷線からなつている。設ける本数は２本でも良く、あるいは３本以上でも良い。設ける位置は開封用プルタブ（３）に近い方が折り易く好ましい。例えば、三本の折れ目線（７ａ、７ｂ、７ｃ）の場合は、折れ目線（７ａ）を介して蓋材の剥離部分を上方に折り曲げた後に、折れ目線（７ｂ）を介して下方に折り曲げ、さらに折れ目線（７ｃ）を介して折り曲げて、三角状の突出部（８）を設けて開封用プルタブ（３）部分が容器フランジ部（１１）上近辺に
来るようにする為に設けられている。
【００１５】
図３（ａ）〜（ｄ）は、本発明の蓋材の一使用例を説明する為の図であり、図に従って説明すると、図３（ａ）は、蓋材（１）をそのシーラント層（２３）面を容器本体（１０）側にして容器の開口部の上にのせ、容器フランジ部（１１）の部分でシールして密封した状態を示しており、図３（ｂ）は、蓋材（１）を開封用プルタブ（３）から上方に半分ほど剥離した状態を示しており、図３（ｃ）は、半分ほど剥離した蓋材を折り目線（７ａ、７ｂ、７ｃ）を介して折り曲げ、三角状の突出部（８）を設けて、開封用プルタブ（３）が容器フランジ部（１１）の上にくるようした状態を示しており、図３（ｄ）は、蓋材の剥離した部分を容器フランジ部（１１）まで戻し、引っ掛け部（６）を切り込み線（５）の部分から斜め下方向に押し下げて容器フランジ部（１１）に引っ掛けた状態を示している。上記のように引っ掛け部（６）を容器フランジ部（１１）に引っ掛けることにより、再封が容易に、かつ確実に実施できる。
【図面の簡単な説明】
【００１６】
【図１】（ａ）は本発明の蓋材の一実施形態を示す平面図であり、（ｂ）は前記蓋材を容器にシールした時の模式図である。
【図２】本発明の蓋材に使用する積層体の一実施形態を示す側断面図である。
【図３】（ａ）〜（ｄ）は本発明の蓋材の一使用例を説明する為の図である。
【符号の説明】
【００１７】
１…蓋材
２…蓋材本体部
３…開封用プルタブ
４…開封用プルタブ本体部
５…切り込み線
６…引っ掛け部
７ａ，７ｂ，７ｃ…折り目線
８…突出部
１０…容器本体
１１…容器フランジ部
２０…積層体
２１…紙層
２２…接着性樹脂層
２３…シーラント層
【図１】
2005289391.tif 000003
【図２】
2005289391.tif 000004
【図３】
2005289391.tif 000005